(57)【要約】【課題】投薬が進み残りの薬剤が少なくなっても捨てられることがなく、常に携帯され、また、薬剤の保管方法に左右されずに、投薬中の薬剤名の全てを分散させることなく容易に一覧して認識することができ、携帯が容易な薬剤名表示カード、カード状薬剤名表示体及び薬剤名表示方法を提供する。【解決手段】長辺が８４ｍｍ〜８６ｍｍ、短辺が５３ｍｍ〜５５ｍｍの矩形の透明な表面板１と、表面板１と同一形状であって表面板１に重ねられ一の長辺Ｏを除く周囲の３辺部Ｌ、Ｓ、Ｓを表面板１に接合された裏面板２とを備え、表面板１及び裏面板２の間の空隙部は、表面板１の短辺に平行な複数の接合線部４において表面板１及び裏面板２が接合されることにより複数の収納部５に分割されている。各収納部５に、調剤後の薬剤の包装体の薬剤名が記された部分１０１を切断して収納する。【選択図】図２
2018064631.tif 000002
【特許請求の範囲】
【請求項１】
長辺が８４ｍｍ〜８６ｍｍ、短辺が５３ｍｍ〜５５ｍｍの矩形の透明な表面板と、
前記表面板と同一形状であって、前記表面板に重ねられ、一の長辺を除く周囲の３辺部を前記表面板に接合された裏面板と
を備え、
前記表面板及び前記裏面板の間の空隙部は、前記表面板の短辺に平行な複数の接合線部において該表面板及び該裏面板が接合されることにより複数の収納部に分割されており、
前記収納部は、長辺が前記表面板の短辺に略々等しい長さであって、短辺が前記接合線部同士の間隔または前記接合線部と前記表面板の短辺との間隔である１６．８ｍｍ〜２１．５ｍｍとなっている
ことを特徴とする薬剤名表示カード。
【請求項２】
前記表面板及び前記裏面板は、合成樹脂材料から形成されている
ことを特徴とする請求項１記載の薬剤名表示カード。
【請求項３】
請求項１、または、請求項２記載の薬剤名表示カードと、
調剤後の薬剤の包装体の平板状の部分であって薬剤名が記された部分が切断され、前記収納部に収納された一または複数の切片と
を有し、
前記切片に記された薬剤名は、１人の患者が並行して服用すべき一または複数種類の薬剤、または、１人の患者が１回または１日に服用すべき一または複数種類の薬剤を示している
ことを特徴とするカード状薬剤名表示体。
【請求項４】
請求項１、または、請求項２記載の薬剤名表示カードを用いて、
調剤後の薬剤の包装体の平板状の部分であって薬剤名が記された部分を切断して、前記収納部に収納し、この切片に記された薬剤名により、１人の患者が並行して服用すべき一または複数種類の薬剤、または、１人の患者が１回または１日に服用すべき一または複数種類の薬剤を示す
ことを特徴とする薬剤名表示方法。
【発明の詳細な説明】
【技術分野】
【０００１】
本発明は、投薬中の薬剤名を容易に認識することができる薬剤名表示カード、カード状薬剤名表示体及び薬剤名表示方法に関する。
【背景技術】
【０００２】
阪神淡路大震災や東日本大震災などの災害時に薬手帳を携帯して避難した患者は皆無に近く、また、病院のカルテも震災で紛失したことから、内服薬が解らなくなってしまった事例がある。この事例を踏まえると、確実に内服薬の名称とその単位が表記されたものを常に携帯することが、身を守る事になる。
【０００３】
従来、図３に示すように、患者自身が服用すべき投薬中の薬剤名（薬剤種）を認識できるようにするために、表面に薬剤名を表記した薬袋が提案されている（特許文献１）。
【０００４】
また、図４に示すように、患者が服用すべき薬剤を服用しようとするときに、包装体をはがしても表示されている情報が失われないように、患者が必要としている薬剤に関する情報をできるだけ多く表示した包装体が提案されている（特許文献２）。
【先行技術文献】
【特許文献】
【０００５】
【特許文献１】特開２００７−３１９４７９号公報
【特許文献２】特開２００８−０６１９７６号公報
【発明の概要】
【発明が解決しようとする課題】
【０００６】
ところで、特許文献１に記載された薬袋は、投薬が進み残りの薬剤が少なくなると、薬剤の量に対して必要以上に嵩張るため、捨てられてしまう虞があり、常に携帯するとはいえない。また、薬剤は、始めから薬袋に入れて保管されるとは限らず、投薬の当初においても捨てられてしまう虞がある。さらに、並行して投薬される薬剤の調剤が複数回に分かれた場合には、薬袋が複数になってしまい、薬剤に関する情報が分散してしまう。
【０００７】
また、特許文献２に記載された包装体においては、投薬が進み残りの薬剤が少なくなると、薬剤の量に対して必要以上に嵩張るため、捨てられてしまう虞があり、常に携帯するとはいえない。また、薬剤は、投薬回数ごとに包装体から分離されることがあり、この場合には、個々の薬剤の薬剤名が不明になってしまう。さらに、複数種類の薬剤を並行して投薬する場合には、投薬中の薬剤名の全てを一覧して確認することができない。
【０００８】
なお、薬剤の包装体は、ミシン目などで切断した場合に、この切断縁が鋭利になってしまい、この切断縁で手指などを傷付ける虞があるという問題がある。
【０００９】
そこで、本発明は、投薬が進み残りの薬剤が少なくなっても捨てられることがなく、常に携帯され、また、薬剤の保管方法に左右されずに、投薬中の薬剤名の全てを分散させることなく容易に一覧して認識することができ、さらに携帯が容易な薬剤名表示カード、カード状薬剤名表示体及び薬剤名表示方法を提供することを課題とする。
【課題を解決するための手段】
【００１０】
本発明は、上記課題を解決し上記目的を達成するため、以下の構成を有するものである。
【００１１】
〔構成１〕
本発明に係る薬剤名表示カードは、長辺が８４ｍｍ〜８６ｍｍ、短辺が５３ｍｍ〜５５ｍｍの矩形の透明な表面板と、表面板と同一形状であって表面板に重ねられ一の長辺を除く周囲の３辺部を表面板に接合された裏面板とを備え、表面板及び裏面板の間の空隙部は、表面板の短辺に平行な複数の接合線部において該表面板及び該裏面板が接合されることにより複数の収納部に分割されており、収納部は、長辺が表面板の短辺に略々等しい長さであって、短辺が接合線部同士の間隔または接合線部と表面板の短辺との間隔である１６．８ｍｍ〜２１．５ｍｍとなっていることを特徴とするものである。
〔構成２〕
本発明に係る薬剤名表示カードは、構成１を有する薬剤名表示カードにおいて、表面板及び裏面板は、合成樹脂材料から形成されていることを特徴とするものである。
〔構成３〕
本発明に係るカード状薬剤名表示体は、構成１、または、構成２を有する薬剤名表示カードと、調剤後の薬剤の包装体の平板状の部分であって薬剤名が記された部分が切断され収納部に収納された一または複数の切片とを有し、切片に記された薬剤名は、１人の患者が並行して服用すべき一または複数種類の薬剤、または、１人の患者が１回または１日に服用すべき一または複数種類の薬剤を示していることを特徴とするものである。
〔構成４〕
本発明に係る薬剤名表示方法は、構成１、または、構成２を有する薬剤名表示カードを用いて、調剤後の薬剤の包装体の平板状の部分であって薬剤名が記された部分を切断して収納部に収納し、この切片に記された薬剤名により、１人の患者が並行して服用すべき一または複数種類の薬剤、または、１人の患者が１回または１日に服用すべき一または複数種類の薬剤を示すことを特徴とするものである。
【発明の効果】
【００１２】
構成１を有する薬剤名表示カードにおいては、収納部は、長辺が表面板の短辺に略々等しい長さ（５３ｍｍ〜５５ｍｍ）であって、短辺が接合線部同士の間隔または接合線部と表面板の短辺との間隔である１６．８ｍｍ〜２１．５ｍｍとなっているので、調剤後の薬剤の包装体の平板状の部分であって薬剤名が記された部分を切断して収納することができ、常に携帯することができる。
【００１３】
構成２を有する薬剤名表示カードにおいては、表面板及び裏面板は、合成樹脂材料から形成されているので、作成及び取扱いが容易である。
【００１４】
構成３を有するカード状薬剤名表示体においては、切片に記された薬剤名は、１人の患者が並行して服用すべき一または複数種類の薬剤、または、１人の患者が１回または１日に服用すべき一または複数種類の薬剤を示しているので、投薬が進み残りの薬剤が少なくなっても捨てられることがなく、常に携帯され、また、薬剤の保管方法に左右されずに、投薬中の薬剤名の全てを分散させることなく容易に一覧して認識することができる。
【００１５】
構成４を有する薬剤名表示方法においては、調剤後の薬剤の包装体の平板状の部分であって薬剤名が記された部分を切断して収納部に収納し、この切片に記された薬剤名により、１人の患者が並行して服用すべき一または複数種類の薬剤、または、１人の患者が１回または１日に服用すべき一または複数種類の薬剤を示すので、投薬が進み残りの薬剤が少なくなっても薬剤名表示カードが捨てられることがなく、常に携帯され、また、薬剤の保管方法に左右されずに、投薬中の薬剤名の全てを分散させることなく容易に一覧して認識させることができる。
【００１６】
すなわち、本発明は、投薬が進み残りの薬剤が少なくなっても捨てられることがなく、常に携帯され、また、薬剤の保管方法に左右されずに、投薬中の薬剤名の全てを分散させることなく容易に一覧して認識することができ、さらに携帯が容易な薬剤名表示カード、カード状薬剤名表示体及び薬剤名表示方法を提供することができるものである。
【００１７】
前述したように、阪神淡路大震災や東日本大震災などの災害時に薬手帳を携帯して避難した患者は皆無に近く、また、病院のカルテも震災で紛失したことから、内服薬が解らなくなってしまった事例を踏まえると、確実に内服薬の名称とその単位が表記されたこのカード状薬剤名表示体を携帯することが、身を守る事になる。
【図面の簡単な説明】
【００１８】
【図１】本発明に係る薬剤名表示カードの構成を示す平面図である。
【図２】本発明に係る薬剤名表示カードの使用状態を示す平面図である。
【図３】従来の薬袋の構成を示す正面図である。
【図４】従来の薬剤の包装体の構成を示す正面図である。
【発明を実施するための形態】
【００１９】
以下、本発明に係る薬剤名表示カードの実施の形態について、図面を参照しながら説明する。
【００２０】
図１は、本発明に係る薬剤名表示カードの構成を示す正面図である。
【００２１】
本発明に係る薬剤名表示カードは、図１に示すように、長辺Ｌが８４ｍｍ〜８６ｍｍ、短辺Ｓが５３ｍｍ〜５５ｍｍの矩形の透明な表面板１を有する。また、この薬剤名表示カードは、表面板１と同一形状であって表面板１に重ねられ、一の長辺Ｏを除く周囲の３辺部Ｌ、Ｓ、Ｓを表面板１に接合された裏面板２を有する。
【００２２】
これら表面板１及び裏面板２は、合成樹脂材料から形成することが好ましい。裏面板２は、透明であってもよいし、不透明や半透明であってもよい。
【００２３】
これら表面板１及び裏面板２は、周囲の３辺部Ｌ、Ｓ、Ｓに沿ったコ字状の接合部３において接合されている。表面板１及び裏面板２の接合は、熱溶着、超音波溶着、接着等、種々の接合方法によって行うことができる。
【００２４】
なお、このように接合された状態の表面板１及び裏面板２は、１枚の合成樹脂シートを２つ折りにし、両側の２辺部を接合することによって構成してもよい。この場合には、１枚の合成樹脂シートの一方側の半分が表面板１となり、他方側の半分が裏面板２となる。
【００２５】
これら表面板１及び裏面板２の大きさは、好ましくは、長辺８５．６０ｍｍ、短辺５３．９８ｍｍである。また、これら表面板１及び裏面板２を重ねた厚さは、０．７６ｍｍ程度（例えば、０．７ｍｍ〜０．９ｍｍ）であることが好ましい。この大きさ及び厚さは、クレジットカードのＪＩＳ規格の大きさ及び厚さであり、携帯が容易である。
【００２６】
また、これら表面板１及び裏面板２の四隅の角部は、円弧状に切除しておくことが好ましい。
【００２７】
そして、表面板１及び裏面板２の間の空隙部は、表面板１の短辺Ｓ、Ｓに平行な複数の接合線部４において表面板１及び裏面板２が接合されることにより、複数の矩形の収納部５に分割されている。
【００２８】
各収納部５は、長辺が表面板１の短辺Ｓ、Ｓに略々等しい長さとなっている。各収納部５の短辺は、接合線部４同士の間隔、または、接合線部４と表面板１の短辺Ｓとの間隔に相当し、１６．８ｍｍ〜２１．５ｍｍとなっている。なお、１６．８ｍｍは、８４ｍｍを５等分した長さである。２１．５ｍｍは、８６ｍｍを４等分した長さである。すなわち、各収納部５は、表面板１及び裏面板２の間の空隙部を４等分乃至５等分して形成されている。
【００２９】
各収納部５は、表面板１及び裏面板２が接合されていない長辺Ｏにおいて、外方に開放されている。
【００３０】
図２は、本発明に係る薬剤名表示カードの使用状態を示す正面図である。
【００３１】
本発明に係る薬剤名表示方法は、前述の薬剤名表示カードを用いて行われる。この薬剤名表示方法においては、図２に示すように、調剤後の薬剤の包装体の平板状の部分であって薬剤名が記された部分を切断した切片１０１を、図２中矢印Ａで示すように、表面板１及び裏面板２が接合されていない長辺Ｏを介して、収納部５に収納する。この切片１０１は、図２中矢印Ｂで示すように、収納部５から抜き取ることができる。
【００３２】
切片１０１は、薬剤名が記された面を表面板１側として収納部５に収納し、表面板１を透して薬剤名が認識される状態とする。
【００３３】
表面板１のみならず裏面板２も透明材料により形成した場合には、切片１０１は、薬剤名が記された面を表面板１側としたもの及び薬剤名が記された面を裏面板２側としたものの２枚を重ねて収納部５に収納し、表面板１を透して表面側から及び裏面板２を透して裏面側からそれぞれ薬剤名が認識される状態とすることができる。
【００３４】
なお、このような各切片１０１の薬剤名表示カードへの収納は、薬剤師または医師が行うことが好ましい。
【００３５】
このようにして１枚の薬剤名表示カードに収納する各切片１０１は、以下のような一群の薬剤の包装体からの切片１０１とすることができる。
【００３６】
（１）１回の調剤において処方され並行して服用すべき複数種類の薬剤
並行して服用すべき薬剤を患者が容易に確認することができ、また、次回の調剤において処方すべき薬剤が前回と同じかを確認することができる。
【００３７】
（２）複数回の調剤において処方され並行して服用すべき複数種類の薬剤
並行して服用すべき薬剤を患者が容易に確認することができ、また、他の調剤との重複がないかを確認することができる。
【００３８】
（３）１回または１日に服用すべき複数種類の薬剤
１回または１日に服用すべき薬剤を患者が容易に確認することができる。なお、この場合には、薬剤名表示カードには、切片１０１ではなく、包装体に包装された薬剤そのものを収納してもよい。１回分または１日分ごとに１枚の薬剤名表示カードを用いることが好ましい。
【００３９】
なお、上記（１）〜（３）のいずれにおいても、服用時（朝、昼、晩等）及び服用量を記した切片とともに収納してもよい。服用時及び服用量は、薬剤名表示カードの表面または裏面に記してもよい。
【００４０】
薬剤には、包装体とは別に収納用切片１０１を付属させることが好ましい。このようにすれば、液薬や粉薬についても表示可能である。
【００４１】
なお、薬剤の包装体は、ミシン目などで切断した場合には、この切断縁の角部を円弧状に切除しておけば、手指などを傷付ける虞がなくなる。ミシン目など切断される箇所の両端部に、予め円弧状の切り込みを設けておけば、切断後の角部が円弧状となり、好ましい。薬剤名表示カードに収納される切片１０１は、角部が外方に露出することがないので、円弧状に切除する必要はない。
【符号の説明】
【００４２】
１  表面板
２  裏面板
３  接合部
４  接合線部
５  収納部
Ｌ  長辺
Ｏ  接合されない長辺
Ｓ  短辺
１０１  切片
【図１】
2018064631.tif 000003
【図２】
2018064631.tif 000004
【図３】
2018064631.tif 000005
【図４】
2018064631.tif 000006
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
長辺が８４ｍｍ〜８６ｍｍ、短辺が５３ｍｍ〜５５ｍｍの矩形の透明な表面板と、前記表面板と同一形状であって前記表面板に重ねられ一の長辺を除く周囲の３辺部を前記表面板に接合された裏面板とを備え、これら表面板及び裏面板を重ねた厚さが０．７ｍｍ〜０．９ｍｍであり、前記表面板及び前記裏面板の間の空隙部は、前記表面板の短辺に平行な複数の接合線部において該表面板及び該裏面板が接合されることにより複数の収納部に分割されており、前記収納部は、長辺が前記表面板の短辺に略々等しい長さであって、短辺が前記接合線部同士の間隔または前記接合線部と前記表面板の短辺との間隔である１６．８ｍｍ〜２１．５ｍｍとなっている薬剤名表示カードと、
調剤後の薬剤の包装体の平板状の部分であって薬剤名が記された部分が切断され、前記収納部に収納された一または複数の切片と
を有し、
前記切片に記された薬剤名は、１人の患者が並行して服用すべき一または複数種類の薬剤、または、１人の患者が１回または１日に服用すべき一または複数種類の薬剤を示している
ことを特徴とするカード状薬剤名表示体。
【請求項２】
前記表面板及び前記裏面板は、合成樹脂材料から形成されている
ことを特徴とする請求項１記載のカード状薬剤名表示体。
【請求項３】
長辺が８４ｍｍ〜８６ｍｍ、短辺が５３ｍｍ〜５５ｍｍの矩形の透明な表面板と、前記表面板と同一形状であって前記表面板に重ねられ一の長辺を除く周囲の３辺部を前記表面板に接合された裏面板とを備え、これら表面板及び裏面板を重ねた厚さが０．７ｍｍ〜０．９ｍｍであり、前記表面板及び前記裏面板の間の空隙部は、前記表面板の短辺に平行な複数の接合線部において該表面板及び該裏面板が接合されることにより複数の収納部に分割されており、前記収納部は、長辺が前記表面板の短辺に略々等しい長さであって、短辺が前記接合線部同士の間隔または前記接合線部と前記表面板の短辺との間隔である１６．８ｍｍ〜２１．５ｍｍとなっている薬剤名表示カードを用いて、
調剤後の薬剤の包装体の平板状の部分であって薬剤名が記された部分を切断して、前記収納部に収納し、この切片に記された薬剤名により、１人の患者が並行して服用すべき一または複数種類の薬剤、または、１人の患者が１回または１日に服用すべき一または複数種類の薬剤を示す
ことを特徴とする薬剤名表示方法。
【請求項４】
前記表面板及び前記裏面板は、合成樹脂材料から形成されている
ことを特徴とする請求項３記載の薬剤名表示方法。
【手続補正３】
【補正対象書類名】明細書
【補正対象項目名】０００１
【補正方法】変更
【補正の内容】
【０００１】
本発明は、投薬中の薬剤名を容易に認識することができるカード状薬剤名表示体及び薬剤名表示方法に関する。
【手続補正４】
【補正対象書類名】明細書
【補正対象項目名】０００９
【補正方法】変更
【補正の内容】
【０００９】
そこで、本発明は、投薬が進み残りの薬剤が少なくなっても捨てられることがなく、常に携帯され、また、薬剤の保管方法に左右されずに、投薬中の薬剤名の全てを分散させることなく容易に一覧して認識することができ、さらに携帯が容易なカード状薬剤名表示体及び薬剤名表示方法を提供することを課題とする。
【手続補正５】
【補正対象書類名】明細書
【補正対象項目名】００１１
【補正方法】変更
【補正の内容】
【００１１】
〔構成１〕
本発明に係るカード状薬剤名表示体は、長辺が８４ｍｍ〜８６ｍｍ、短辺が５３ｍｍ〜５５ｍｍの矩形の透明な表面板と、前記表面板と同一形状であって前記表面板に重ねられ一の長辺を除く周囲の３辺部を前記表面板に接合された裏面板とを備え、これら表面板及び裏面板を重ねた厚さが０．７ｍｍ〜０．９ｍｍであり、前記表面板及び前記裏面板の間の空隙部は、前記表面板の短辺に平行な複数の接合線部において該表面板及び該裏面板が接合されることにより複数の収納部に分割されており、前記収納部は、長辺が前記表面板の短辺に略々等しい長さであって、短辺が前記接合線部同士の間隔または前記接合線部と前記表面板の短辺との間隔である１６．８ｍｍ〜２１．５ｍｍとなっている薬剤名表示カードと、
調剤後の薬剤の包装体の平板状の部分であって薬剤名が記された部分が切断され、前記収納部に収納された一または複数の切片と
を有し、
前記切片に記された薬剤名は、１人の患者が並行して服用すべき一または複数種類の薬剤、または、１人の患者が１回または１日に服用すべき一または複数種類の薬剤を示していることを特徴とするものである。
【手続補正６】
【補正対象書類名】明細書
【補正対象項目名】００１２
【補正方法】変更
【補正の内容】
【００１２】
〔構成２〕
本発明に係るカード状薬剤名表示体は、構成１を有するカード状薬剤名表示体において、表面板及び裏面板は、合成樹脂材料から形成されていることを特徴とするものである。
【手続補正７】
【補正対象書類名】明細書
【補正対象項目名】００１３
【補正方法】変更
【補正の内容】
【００１３】
〔構成３〕
本発明に係る薬剤名表示方法は、長辺が８４ｍｍ〜８６ｍｍ、短辺が５３ｍｍ〜５５ｍｍの矩形の透明な表面板と、前記表面板と同一形状であって前記表面板に重ねられ一の長辺を除く周囲の３辺部を前記表面板に接合された裏面板とを備え、これら表面板及び裏面板を重ねた厚さが０．７ｍｍ〜０．９ｍｍであり、前記表面板及び前記裏面板の間の空隙部は、前記表面板の短辺に平行な複数の接合線部において該表面板及び該裏面板が接合されることにより複数の収納部に分割されており、前記収納部は、長辺が前記表面板の短辺に略々等しい長さであって、短辺が前記接合線部同士の間隔または前記接合線部と前記表面板の短辺との間隔である１６．８ｍｍ〜２１．５ｍｍとなっている薬剤名表示カードを用いて、
調剤後の薬剤の包装体の平板状の部分であって薬剤名が記された部分を切断して収納部に収納し、この切片に記された薬剤名により、１人の患者が並行して服用すべき一または複数種類の薬剤、または、１人の患者が１回または１日に服用すべき一または複数種類の薬剤を示すことを特徴とするものである。
【手続補正８】
【補正対象書類名】明細書
【補正対象項目名】００１４
【補正方法】変更
【補正の内容】
【００１４】
〔構成４〕
本発明に係る薬剤名表示方法は、構成３を有する薬剤名表示方法において、表面板及び裏面板は、合成樹脂材料から形成されていることを特徴とするものである。
【手続補正９】
【補正対象書類名】明細書
【補正対象項目名】００１５
【補正方法】変更
【補正の内容】
【００１５】
構成１を有するカード状薬剤名表示体においては、薬剤名表示カードが、収納部は、長辺が表面板の短辺に略々等しい長さ（５３ｍｍ〜５５ｍｍ）であって、短辺が接合線部同士の間隔または接合線部と表面板の短辺との間隔である１６．８ｍｍ〜２１．５ｍｍとなっているので、調剤後の薬剤の包装体の平板状の部分であって薬剤名が記された部分を切断して収納することができ、常に携帯することができる。切片に記された薬剤名は、１人の患者が並行して服用すべき一または複数種類の薬剤、または、１人の患者が１回または１日に服用すべき一または複数種類の薬剤を示しているので、投薬が進み残りの薬剤が少なくなっても捨てられることがなく、常に携帯され、また、薬剤の保管方法に左右されずに、投薬中の薬剤名の全てを分散させることなく容易に一覧して認識することができる。
【手続補正１０】
【補正対象書類名】明細書
【補正対象項目名】００１６
【補正方法】変更
【補正の内容】
【００１６】
構成２を有するカード状薬剤名表示体においては、表面板及び裏面板は、合成樹脂材料から形成されているので、作成及び取扱いが容易である。
【手続補正１１】
【補正対象書類名】明細書
【補正対象項目名】００１７
【補正方法】変更
【補正の内容】
【００１７】
構成３を有する薬剤名表示方法においては、調剤後の薬剤の包装体の平板状の部分であって薬剤名が記された部分を切断して収納部に収納し、この切片に記された薬剤名により、１人の患者が並行して服用すべき一または複数種類の薬剤、または、１人の患者が１回または１日に服用すべき一または複数種類の薬剤を示すので、投薬が進み残りの薬剤が少なくなっても薬剤名表示カードが捨てられることがなく、常に携帯され、また、薬剤の保管方法に左右されずに、投薬中の薬剤名の全てを分散させることなく容易に一覧して認識させることができる。
【手続補正１２】
【補正対象書類名】明細書
【補正対象項目名】００１８
【補正方法】変更
【補正の内容】
【００１８】
構成４を有する薬剤名表示方法においては、表面板及び裏面板は、合成樹脂材料から形成されているので、作成及び取扱いが容易である。
【手続補正１３】
【補正対象書類名】明細書
【補正対象項目名】００１９
【補正方法】変更
【補正の内容】
【００１９】
すなわち、本発明は、投薬が進み残りの薬剤が少なくなっても捨てられることがなく、常に携帯され、また、薬剤の保管方法に左右されずに、投薬中の薬剤名の全てを分散させることなく容易に一覧して認識することができ、さらに携帯が容易なカード状薬剤名表示体及び薬剤名表示方法を提供することができるものである。